(57)【要約】【課題】本発明は、情報処理システムの電源投入／切断を制御する電源制御装置および電源制御方法に関し、電源投入／切断シーケンス途中に発生する不測の電源切断／投入条件を回避させる。【解決手段】電源投入／切断設定によって１以上の接続装置を電源投入および電源切断させる電源制御装置は、電源投入設定から接続装置全てが電源投入起動処理を完了するまでの投入過程時間を超える時間が設定されて電源投入設定によってタイマ計時を開始する投入過程タイマ回路3aと、電源切断設定から接続装置全てが電源切断停止処理を完了するまでの切断過程時間を超える時間が設定されて電源切断設定によってタイマ計時を開始する切断過程タイマ回路3bと、投入過程タイマ回路3aでのタイマ計時中の電源切断設定を無効化する切断入力無効化回路4bと、切断過程タイマ回路3bでのタイマ計時中の電源投入設定を無効化する投入入力無効化回路4aとを有する。【選択図】図１
2007244167.tif 000002
【特許請求の範囲】
【請求項１】
電源投入／切断設定によって１以上の接続装置を電源投入および電源切断させる電源制御装置において、
前記電源制御装置は、
前記電源投入設定から接続装置全てが電源投入起動処理を完了するまでの投入過程時間を超える時間が設定され、前記電源投入設定によってタイマ計時を開始する投入過程タイマ手段と、
前記電源切断設定から接続装置全てが電源切断停止処理を完了するまでの切断過程時間を超える時間が設定され、前記電源切断設定によってタイマ計時を開始する切断過程タイマ手段と、
前記投入過程タイマ手段でのタイマ計時中の前記電源切断設定と、前記切断過程タイマ手段でのタイマ計時中の前記電源投入設定とをいずれも無効にする設定無効化手段と、
を有することを特徴とする電源制御装置。
【請求項２】
電源投入／切断設定によって１以上の接続装置を電源投入および電源切断させる電源制御装置において、
前記電源制御装置は、
電源投入設定時には前記電源投入設定から接続装置全てが電源投入起動処理を完了するまでの投入過程時間を超える時間が設定されて前記電源投入設定によってタイマ計時を開始し、一方、電源切断設定時には前記電源切断設定から接続装置全てが電源切断停止処理を完了するまでの切断過程時間を超える時間が設定されて前記電源切断設定によってタイマ計時を開始するタイマ手段と、
前記電源投入設定による前記タイマ計時中の前記電源切断設定と、前記電源切断設定による前記タイマ計時中の前記電源投入設定とをいずれも無効にする設定無効化手段と、
を有することを特徴とする電源制御装置。
【請求項３】
前記タイマ手段は、
前記投入過程時間または前記切断過程時間のいずれか長い方の時間を超える時間が設定され、前記電源投入設定および前記電源切断設定によってタイマ計時を開始する
ことを特徴とする請求項２記載の電源制御装置。
【請求項４】
前記電源投入設定による前記タイマ計時中の前記電源切断設定、または前記電源切断設定による前記タイマ計時中の前記電源投入設定の少なくとも一方を検出する異常検出手段を更に有する
ことを特徴とする請求項１または請求項２記載の電源制御装置。
【請求項５】
電源投入／切断設定によって１以上の接続装置を電源投入および電源切断させる電源制御方法において、
投入過程タイマが、前記電源投入設定から接続装置全てが電源投入起動処理を完了するまでの投入過程時間を超える時間が設定され、前記電源投入設定によってタイマ計時を開始するステップと、
切断過程タイマが、前記電源切断設定から接続装置全てが電源切断停止処理を完了するまでの切断過程時間を超える時間が設定され、前記電源切断設定によってタイマ計時を開始するステップと、
設定無効化手段が、前記投入過程タイマでのタイマ計時中の前記電源切断設定と、前記切断過程タイマでのタイマ計時中の前記電源投入設定とをいずれも無効にするステップと、
を含むことを特徴とする電源制御方法。
【発明の詳細な説明】
【技術分野】
【０００１】
本発明は、情報処理システムの電源投入／切断を制御する電源制御装置および電源制御方法に関し、特に、電源投入／切断シーケンス途中に発生する不測の電源切断／投入条件を回避する技術に関する。
【背景技術】
【０００２】
情報処理装置やその周辺装置などから構成される情報処理システムの電源投入／切断には、それら装置相互間の初期状態保証などのために各装置の電源投入／切断に所定の順序（シーケンス）が必要とされることから、一般に電源制御装置が用いられている。
【０００３】
しかし、各装置への電源投入／切断のシーケンスを、単に各装置それぞれが有する電源投入／切断完了時間と各装置相互間の初期状態保証のための電源投入／切断順序とに基づいてタイミング制御しただけでは、例えば電源投入時においては、装置相互の電源投入タイミングの重なりによって多大な突入電流（ラッシュカレント）を生じたり、また電源投入できない障害装置（電源投入させない装置を含む）の検出に過剰な時間を要したり、しかも前記障害装置が多数ある場合においては全電源投入完了までに多大な時間を要してしまうなどの不具合を生じる。
【０００４】
そこで従来には、次の装置の電源を投入してもそのラッシュカレントが問題にならないとする最短時間を設定したタイマＩを起動してそのタイマＩの設定時間到達により次の装置を逐次電源投入させ、また最終投入装置の電源投入時にシステム内で最も遅く電源投入完了となる時間を設定したタイマIIを更に起動させてタイマIIの設定時間到達までに電源投入完了信号の発生の無い装置を障害装置として検出することによって、電源投入シーケンス時の装置相互のラッシュカレントの重なりを回避するとともに、システムの電源投入完了時間を最短化させるものがある（例えば、特許文献１参照）。
【特許文献１】特開昭５９−２０５６２８号公報
【発明の開示】
【発明が解決しようとする課題】
【０００５】
しかしながら、従来の技術は、ラッシュカレント回避のための最短時間を設定したタイマＩによる逐次電源投入によって装置相互のラッシュカレントの重なりを回避させ且つ、最終投入装置の電源投入時のタイマIIへの投入完了監視時間の設定によってシステムの電源投入完了時間を最短化させるものであるが、システムの電源投入シーケンス途中での電源切断入力あるいは電源切断シーケンス途中での電源投入入力などの不測の電源切断／投入条件が生じた際の動作については何ら記載が無く且つ示唆する記載も無いことから、電源投入／切断シーケンス途中に不測の電源切断／投入条件が発生した場合の動作は、その発生時点からその発生条件に基づく電源投入または切断シーケンスへと切り替える一般的な動作が行われるものと想定される。
【０００６】
例えば電源投入シーケンス途中に不測の電源切断条件（電源切断入力や電磁誘導ノイズなど）が発生したことで電源切断シーケンスへと切り替えられた場合、その切替え時点が装置起動途中にあった装置では起動処理途中での強制終了により不具合を生じたり、また、電源切断シーケンス途中に不測の電源投入条件（電源投入入力や電磁誘導ノイズなど）が発生したことで電源投入シーケンスへと切り替えられた場合、その切替え時点が装置停止途中にあった装置では起動処理への急遽の切替えが正常に行えないという不具合を生じるという問題がある。
【０００７】
そこで本発明は、情報処理システムの電源投入／切断シーケンス途中に発生する不測の電源切断／投入条件を回避できる電源制御装置および電源制御方法を提供することを目的とする。
【課題を解決するための手段】
【０００８】
第１の発明の電源制御装置は、電源投入／切断設定によって１以上の接続装置を電源投入および電源切断させる電源制御装置において、前記電源投入設定から接続装置全てが電源投入起動処理を完了するまでの投入過程時間を超える時間が設定され、前記電源投入設定によってタイマ計時を開始する投入過程タイマ手段と、前記電源切断設定から接続装置全てが電源切断停止処理を完了するまでの切断過程時間を超える時間が設定され、前記電源切断設定によってタイマ計時を開始する切断過程タイマ手段と、前記投入過程タイマ手段でのタイマ計時中の前記電源切断設定と、前記切断過程タイマ手段でのタイマ計時中の前記電源投入設定とをいずれも無効にする設定無効化手段と、を有する構成とする。
【０００９】
第２の発明の電源制御装置は、電源投入／切断設定によって１以上の接続装置を電源投入および電源切断させる電源制御装置において、電源投入設定時には前記電源投入設定から接続装置全てが電源投入起動処理を完了するまでの投入過程時間を超える時間が設定されて前記電源投入設定によってタイマ計時を開始し、一方、電源切断設定時には前記電源切断設定から接続装置全てが電源切断停止処理を完了するまでの切断過程時間を超える時間が設定されて前記電源切断設定によってタイマ計時を開始するタイマ手段と、前記電源投入設定による前記タイマ計時中の前記電源切断設定と、前記電源切断設定による前記タイマ計時中の前記電源投入設定とをいずれも無効にする設定無効化手段と、を有する構成とする。
【００１０】
第３の発明の電源制御装置は、前記第２の発明の電源制御装置において、前記タイマ手段は、前記投入過程時間または前記切断過程時間のいずれか長い方の時間を超える時間が設定され、前記電源投入設定および前記電源切断設定によってタイマ計時を開始する構成とする。
【００１１】
第４の発明の電源制御装置は、前記第１または第２の発明の電源制御装置において、
前記電源投入設定による前記タイマ計時中の前記電源切断設定、または前記電源切断設定による前記タイマ計時中の前記電源投入設定の少なくとも一方を検出する異常検出手段を更に有する構成とする。
【００１２】
前記第１および第２の発明によれば、電源投入設定時には投入過程時間を超える時間の設定によって、一方、電源切断設定時には切断過程時間を超える時間の設定によってそれぞれタイマ計時を行い、電源投入設定によるタイマ計時中における電源切断設定と、電源切断設定によるタイマ計時中における電源投入設定とをいずれも無効にすることから、接続装置のいずれかが電源投入起動処理途中のときに電源切断停止処理へ移行することを回避でき、また接続装置のいずれかが電源切断停止処理途中のときに電源投入起動処理へ移行することを回避できる。
【００１３】
また、前記第３の発明によれば、タイマ手段には投入過程時間または切断過程時間のいずれか長い方の時間を超える時間だけを予め設定すれば良いことから、タイマ手段の構成が簡略になる。
【００１４】
更に、前記第４の発明によれば、電源投入設定によるタイマ計時中における電源切断設定、および電源切断設定によるタイマ計時中における電源投入設定をそれぞれ検出できることから、設定無効化手段により無効にされた電源切断設定および電源投入設定の検出を表示などさせて通知することができる。
【発明の効果】
【００１５】
本発明によれば、電源投入設定による接続装置全ての電源投入起動処理完了までのタイマ計時中における電源切断設定と、電源切断設定による接続装置全ての電源投入起動処理完了までのタイマ計時中における電源投入設定とをいずれも無効にできることから、接続装置のいずれかが電源投入起動処理途中のときに電源切断停止処理へ移行することを回避でき、また接続装置のいずれかが電源切断停止処理途中のときに電源投入起動処理へ移行することを回避できる。
【００１６】
このことによって、情報処理システムの電源投入シーケンス途中に発生する不測の電源切断条件、および電源切断シーケンス途中に発生する不測の電源投入条件それぞれを回避できることから、接続装置の突如の電源切断シーケンスまたは電源切断シーケンスへの切替えに伴う接続装置の不具合を無くすことができる。
【発明を実施するための最良の形態】
【００１７】
（実施例１）
以下、本発明の実施の形態について、図面を参照して説明する。図１は、本発明に係る一実施例の電源制御装置の回路構成を示す図である。
【００１８】
電源制御装置は、情報処理システムを構成する装置の１つであり、情報処理システムを構成する他の１つ以上の接続装置の電源投入／切断を制御する装置であることから、電源制御装置とそれら接続装置とは、電源投入および電源切断を制御するのための電源制御線で接続されている。
【００１９】
なお、ここでいう電源制御装置と接続装置は、それぞれ独立した個別の装置であっても、また電源制御装置と１つ以上の接続装置とで１つの独立した装置を構成するものであっても構わないが、電源制御装置と接続装置とはそれぞれが独立して装置電源を投入／切断できることが必要である。つまり、接続装置を電源投入／切断を制御するために、電源制御装置は電源投入状態にあることが必要である。
【００２０】
図１において、電源制御装置の回路構成の一部である電源制御回路１は、従来技術による電源制御装置の所定の回路構成で構わないものであって、入力された電源投入設定および電源切断設定それぞれの信号に基づいて、接続装置それぞれを逐次（１以上の装置が同時でも構わない）に電源投入および電源切断させるための時間タイミングやシーケンスタイミングなどを生成するタイミング生成回路１２と、生成されたタイミングに基づいて生成した電源投入シーケンスおよび電源切断シーケンスに基づき、接続装置それぞれへの電源投入指示のためのＰＯＮ出力１〜ｎ信号５a1〜５anおよび電源切断指示のためのＰＯＦＦ出力１〜ｎ信号５b1〜５bnを発生し且つ、接続装置それぞれへ供給する投入／切断制御回路１１とを有する構成である。
【００２１】
更に電源制御装置は、電源投入設定から接続装置全てが電源投入起動処理を完了するまでの投入過程時間を超える時間が設定され、電源投入設定の信号であるＰＯＮ入力信号２ａの入力によってタイマ計時を開始する投入過程タイマ回路３a と、電源切断設定から接続装置全てが電源切断停止処理を完了するまでの切断過程時間を超える時間が設定され、電源切断設定の信号であるＰＯＦＦ入力信号２b の入力によってタイマ計時を開始する切断過程タイマ回路３b とを有する。
【００２２】
なお、ＰＯＮ入力信号２a およびＰＯＦＦ入力信号２b は、例えば電源制御装置が備える図示しない操作パネル上の電源投入スイッチおよび電源切断スイッチの操作に基づく信号、あるいは図示しない外部装置（例えば情報処理システム内のホストコンピュータやメインサーバなど）から入力される電源投入および電源切断のリモート信号などであって、説明の便宜上、ここではパルス状の信号とする。また、ＰＯＮ出力１〜ｎ信号５a1〜５anおよびＰＯＦＦ出力１〜ｎ信号５b1〜５bnについても同様に、説明の便宜上、ここではパルス状の信号とする。
【００２３】
電源制御装置は更に、切断過程タイマ回路３b がタイマ計時中でないときに入力されたＰＯＮ入力信号２a は通過させ、一方、タイマ計時中であるときに入力されたＰＯＮ入力信号２a は無効にする投入入力無効化回路４a と、投入過程タイマ回路３a がタイマ計時中でないときに入力されたＰＯＦＦ入力信号２b は通過させ、一方、タイマ計時中であるときに入力されたＰＯＦＦ入力信号２b は無効にする切断入力無効化回路４b とを有し、投入入力無効化回路４a および切断入力無効化回路４b のそれぞれの出力は電源制御回路１内の投入／切断制御回路１１に接続される構成である。
【００２４】
また、投入過程タイマ手段回路３a がタイマ計時中であるときのＰＯＦＦ入力信号２b の入力を検出してＰＯＦＦアラームを発生するＰＯＦＦアラーム検出回路６a と、切断過程タイマ回路３b がタイマ計時中であるときのＰＯＮ入力信号２a の入力を検出してＰＯＮアラームを発生するＰＯＮアラーム検出回路６b とを有する構成である。勿論、それら２つのアラームを１つのアラームとして出力させても構わない。
【００２５】
検出されたＰＯＦＦアラームおよびＰＯＮアラームは、図示しない何らかの所定の手段（電源制御装置内に拘らず、情報処理システム内の他の装置内にあっても良い）によって、ロギングしたり、あるいは操作者や管理者などへ画面表示や発光表示、音響などにて通知や警告したりしても良い。なお、ロギングや画面表示などを行う場合、発生状況（発生日時、発生条件、タイマ経過時間など）を併せて行うと良い。
【００２６】
また、投入過程タイマ手段回路３a および切断過程タイマ回路３b によるタイマ計時中を操作者や管理者などに認識させるため、それぞれのタイマ計時中を独立または共通に図示しない発光手段にて発光表示させても良い。その場合の発光手段は、ＰＯＮ入力信号２a およびＰＯＦＦ入力信号２b を発生指示する電源投入スイッチおよび電源切断スイッチの近くに配設すると、それらスイッチ操作のタイミング監視に都合良い。
【００２７】
次に、本発明の動作について、図面を参照して説明する。図２は本発明の動作を説明するタイムチャートである。なお、同図中の信号名は、図１中の信号名に対応するものである。
【００２８】
図２において、先ず、電源投入シーケンス時について説明する。ＰＯＮ入力信号２a（同図中、第１の信号）の入力があったならば、投入過程タイマ回路３a を起動してタイマ計時（タイマ時間ｔon）を開始させる。この時点においては、切断過程タイマ回路３b はタイマ計時中でないため、この時のＰＯＮ入力信号２a は投入入力無効化回路４a により無効化されることなく通過して、電源制御回路１へと入力される。
【００２９】
電源制御回路１では、投入入力無効化回路４a から入力された信号に基づき所定の電源投入シーケンスを開始し、電源投入シーケンスに応じたＰＯＮ出力１〜ｎ信号５a1〜５anを出力する。ＰＯＮ出力１〜ｎ信号５a1〜５anが入力された接続装置１〜ｎそれぞれは、装置電源を投入（オン）して電源投入起動処理を開始する。
【００３０】
もしも、電源投入シーケンス中を示す投入過程タイマ回路３a のタイマ計時中にＰＯＦＦ入力信号２b（同図中、第１の信号）が入力された場合、そのＰＯＦＦ入力信号２b は投入入力無効化回路４a によって無効化（無視）される。一方、その場合のＰＯＦＦ入力信号２b をＰＯＦＦアラーム検出回路６a が検出し、ＰＯＦＦアラームを発生する。
【００３１】
投入過程タイマ回路３a のタイマ時間として、ＰＯＮ入力信号２a の入力から接続装置１〜ｎ全てが電源投入起動処理を完了するまでの投入過程時間を超える時間（ｔon）を設定しているため、この設定時間によるタイマ計時が完了した時点では、接続装置１〜ｎ全ては確実に電源投入起動処理を完了していると言える。
【００３２】
次に、電源切断シーケンス時について説明する。上述した投入過程タイマ回路３a のタイマ計時（ｔon）が完了した後にＰＯＦＦ入力信号２b（同図中、第２の信号）の入力があったならば、切断過程タイマ回路３b を起動してタイマ計時（タイマ時間ｔoff）を開始させる。この時点においては、投入過程タイマ回路３a はタイマ計時中でないため、この時のＰＯＦＦ入力信号２b は切断入力無効化回路４b により無効化されることなく通過して、電源制御回路１へと入力される。
【００３３】
電源制御回路１では、切断入力無効化回路４b から入力された信号に基づき所定の電源切断シーケンスを開始し、電源切断シーケンスに応じたＰＯＦＦ出力１〜ｎ信号５b1〜５bnを出力する。ＰＯＦＦ出力１〜ｎ信号５b1〜５bnが入力された接続装置１〜ｎそれぞれは、装置電源を切断（オフ）して電源切断停止処理を開始する。
【００３４】
もしも、電源切断シーケンス中を示す切断過程タイマ回路３b のタイマ計時中にＰＯＮ入力信号２a（同図中、第２の信号）が入力された場合、そのＰＯＮ入力信号２a は切断入力無効化回路４b によって無効化（無視）される。一方、その場合のＰＯＮ入力信号２a をＰＯＮアラーム検出回路６b が検出して、ＰＯＮアラームを発生する。
【００３５】
切断過程タイマ回路３b のタイマ時間として、ＰＯＦＦ入力信号２b の入力から接続装置１〜ｎ全てが電源切断停止処理を完了するまでの切断過程時間を超える時間（ｔoff）を設定しているため、この設定時間によるタイマ計時が完了した時点では、接続装置１〜ｎ全ては確実に電源切断停止処理を完了していると言える。
【００３６】
以上、説明したように、電源投入シーケンス中における投入過程タイマ回路３a のタイマ計時中（ｔon）にＰＯＦＦ入力信号２b が入力されたとしてもそのＰＯＦＦ入力信号２b は無効化されるため、例え誤操作などによって電源投入シーケンス中に不測のＰＯＦＦ入力信号２b を発生させたとしても電源切断シーケンスに移行できないことから、接続装置のいずれかが電源投入起動処理途中のときに電源切断停止処理へ突如移行することに伴う起動処理障害（例えば電源不正切断エラー）などを回避できる。
【００３７】
一方、電源切断シーケンス中における切断過程タイマ回路３b のタイマ計時中（ｔoff）にＰＯＮ入力信号２a が入力されたとしてもそのＰＯＮ入力信号２a は無効化されるため、例え誤操作などによって電源切断シーケンス中に不測のＰＯＮ入力信号２a を発生させたとしても電源投入シーケンスに移行できないことから、接続装置のいずれかが電源切断停止処理途中のときに電源投入起動処理へ突如移行することに伴う停止処理障害などを回避できる。
【００３８】
また、その様な場合のＰＯＦＦ入力信号２b およびＰＯＮ入力信号２a が、例えノイズ（電磁誘導ノイズや静電気放電ノイズなど）によって生じた信号であっても同様の動作が行われることから、ノイズによる誤動作も防止できる。
【００３９】
なお、ＰＯＮ入力信号２a およびＰＯＦＦ入力信号２b については説明の便宜上、パルス状の信号としたが、もしも、本発明の回路構成部に入力される電源投入および電源切断の設定が個別ではなくて１つの状態信号、つまり１つのレベル信号（例えば、低レベルは電源切断設定状態、高レベルは電源投入設定状態を示す信号）の場合には、その信号の変化点を捉えてＰＯＮ入力信号２a （立上り部）とＰＯＦＦ入力信号２b （立下り部）とを生成させれば良い。例え、レベル信号をそのまま用いたとしても、同様の効果は得られる。しかしその場合、レベル信号の変化による設定がタイマ計時の完了時点まで保留され、その完了時点からレベル信号の設定に応じて直ちに電源投入シーケンスまたは電源切断シーケンスに移行することとなる。
【００４０】
また、ＰＯＮ出力１〜ｎ信号５a1〜５anおよびＰＯＦＦ出力１〜ｎ信号５b1〜５bnについても同様に説明の便宜上、パルス状の信号としたが、接続装置ごとに１つの状態信号、つまり１つのレベル信号（例えば、低レベルは電源切断指定状態、高レベルは電源投入指定状態を示す信号）としても何ら構わない。
【００４１】
なお、図示していないが、例えば異常事態の発生などにより緊急切断入力があった場合においては、電源制御回路１にて所定の緊急電源切断シーケンスが行われることは言うまでもない。
【００４２】
以上説明した実施例に対して、図示しないが、投入過程タイマ回路３a と切断過程タイマ回路３b とを共有化させて１つの共有タイマ回路とし、その共有タイマ回路には投入過程時間または切断過程時間のいずれか長い方の時間を超える時間（ｔonまたはｔoffの長い方のいずれか一方）だけを設定させ、ＰＯＮ入力信号２a およびＰＯＦＦ入力信号２b のいずれの入力でもタイマ計時を開始させるようにしても良い。
【００４３】
その場合、そのタイマ計時がＰＯＮ入力信号２a またはＰＯＦＦ入力信号２b のいずれの入力によるものかを判別するための計時判別回路を追加し、例えばＰＯＮ入力信号２a の入力によってオン設定して、タイマ計時の終了時にオフ設定するものであっても良く、そのオン出力中のときが、つまり電源投入シーケンス中でのタイマ計時となる。
【００４４】
更に、図１で示した投入入力無効化回路４a および切断入力無効化回路４b 、またＰＯＦＦアラーム検出回路６a およびＰＯＮアラーム検出回路６b それぞれのタイマ信号入力には、共有タイマ回路の出力に併せて計時判別回路の出力が代わって入力されることになる。そのことによってそれら各回路では、そのときのタイマ計時が電源投入シーケンス中または電源切断シーケンス中いずれのものかが容易に判別できることから、上述した実施例と同様の動作が可能になる。
【００４５】
この様に投入過程タイマ手段回路３a と切断過程タイマ回路３b とを共有化させる構成では、タイマ回路部分の構成が簡素化でき、回路を小規模化できる。また、この様な構成にすることは、投入過程時間と切断過程時間とを比較した場合にそれぞれの時間に差が無いときほど効果的である。もしも、その差が無視できないほどの差の場合においては、電源投入シーケンス終了から電源切断シーケンスへの移行、または電源切断シーケンス終了から電源投入シーケンスへの移行の開始タイミングが最悪ではその時間差分の遅れを生じる可能性があることは言うまでもない。
【図面の簡単な説明】
【００４６】
【図１】本発明に係る一実施例の電源制御装置の回路構成を示す図
【図２】本発明の動作を説明するタイムチャート
【符号の説明】
【００４７】
１    電源制御回路
２a   ＰＯＮ入力
２b   ＰＯＦＦ入力
３a   投入過程タイマ回路
３b   切断過程タイマ回路
４a   投入入力無効化回路
４b   切断入力無効化回路
５a1〜５an  ＰＯＮ出力１〜ｎ
５b1〜５bn  ＰＯＦＦ出力１〜ｎ
６a   ＰＯＦＦアラーム検出回路
６b   ＰＯＮアラーム検出回路
１１  投入／切断制御回路
１２  タイミング生成回路
【図１】
2007244167.tif 000003
【図２】
2007244167.tif 000004